(57)【要約】【課題】保守すべきポートを現場において容易かつ迅速に発見すること。【解決手段】中継機器１００は、ネットワーク上の通信を中継するものであって、複数のポート１０と、複数のポート１０の状態を監視する状態監視部３０と、ポート毎にそれぞれが設けられた複数の状態表示部１２と、状態監視部３０の監視結果に基づいて、ポート１０の状態がリンクアップであるポートの中から、予め設定された通信状態と異なる通信状態を示すポート１０ａを検出し、当該検出されたポートに対応する状態表示部１２ａの表示を制御する制御部４０とを備える。【選択図】図１
2011082910.tif 000002
【特許請求の範囲】
【請求項１】
ネットワーク上の通信を中継する中継機器であって、
複数のポートと、
前記複数のポートの状態を監視する状態監視部と、
前記ポート毎にそれぞれが設けられた複数の状態表示部と、
前記状態監視部の監視結果に基づいて、前記ポートの状態がリンクアップであるポートの中から、予め設定された通信状態と異なる通信状態を示すポートを検出し、当該検出されたポートに対応する前記状態表示部の表示を制御する制御部と
を備える、中継機器。
【請求項２】
前記通信状態は、ポートの接続状態を含み、
前記制御部は、予め設定された接続状態と異なる接続状態を示すポートを検出し、当該検出されたポートに対応する前記状態表示部の表示を制御する、請求項１記載の中継機器。
【請求項３】
前記通信状態は、通信レートを含み、
前記制御部は、予め設定された通信レートよりも大きい通信レートを有するポートを検出し、当該検出されたポートに対応する前記状態表示部の表示を制御する、請求項１記載の中継機器。
【請求項４】
ネットワーク上の通信を中継する中継機器であって、
複数のポートと、
前記複数のポートの状態を監視する状態監視部と、
前記ポート毎にそれぞれが設けられた複数の状態表示部と、
前記状態監視部の監視結果に基づいて、前記ポートの状態がリンクダウンであるポートの中から、リンク不可であるポート、又は、他の中継機器におけるリンク不可であるポートに直接的若しくは間接的に接続されたポートを検出し、当該検出されたポートに対応する前記状態表示部の表示を制御する制御部と
を備える、中継機器。
【請求項５】
前記中継機器は、ネットワーク機器と監視サーバとの通信を含み、
前記制御部は、前記監視サーバの設定に基づいて、前記ポートのリンク不可を検出する、請求項４記載の中継機器。
【請求項６】
前記制御部は、通信がループしたことに基づいて、前記ポートのリンク不可を検出する、請求項４記載の中継機器。
【請求項７】
前記ポート毎にそれぞれが設けられ、かつ、前記ポートの状態がリンクアップ又はリンクダウンであることを少なくとも表示する、複数の第２状態表示部をさらに備える、請求項１から６のいずれかに記載の中継機器。
【請求項８】
ネットワーク上の通信を中継し、かつ、複数のポートと前記ポート毎にそれぞれが設けられた複数の状態表示部とを備える、中継機器の制御方法であって、
前記複数のポートの状態を監視するステップと、
前記監視するステップによる監視結果に基づいて、前記ポートの状態がリンクアップであるポートの中から、予め定められた通信状態と異なる通信状態を示すポートを検出するステップと、
前記検出するステップにおいて検出されたポートに対応する前記状態表示部の表示を制御するステップと
を含む、中継機器の制御方法。
【請求項９】
ネットワーク上の通信を中継し、かつ、複数のポートと前記ポート毎にそれぞれが設けられた複数の状態表示部とを備える、中継機器の制御方法であって、
前記複数のポートの状態を監視するステップと、
前記監視するステップによる監視結果に基づいて、前記ポートの状態がリンクダウンであるポートの中から、リンク不可であるポート、又は、他の中継機器におけるリンク不可であるポートに直接的若しくは間接的に接続されたポートを検出するステップと、
前記検出するステップにおいて検出されたポートに対応する前記状態表示部の表示を制御するステップと
を含む、中継機器の制御方法。
【発明の詳細な説明】
【技術分野】
【０００１】
本発明は中継機器及びその制御方法に関する。特に本発明は、保守すべきポートを現場において容易かつ迅速に発見することができる中継機器及びその制御方法に関する。
【背景技術】
【０００２】
スイッチングハブやルータなどのネットワーク上の通信を中継する中継機器においては、自装置の動作状態を表示するために、外部から視認可能な位置にＬＥＤが設けられる場合がある。従来、このようなＬＥＤとしては、ポートのリンク状態を表示するものが多く、これによれば、ポートがリンクアップであるか又はリンクダウンであるのかは視認可能ではあるが、リンクアップ時の通信障害やリンクダウン時のリンクダウン要因については直接機器にＰＣを接続するか又はネットワーク経由でしか把握することはできず、中継機器が設置された現場においてはそれらの情報を知ることは困難である。また、特開２００４−３２３０８号公報に示されるように、ポートのリンクがとれていない状態をユーザに対して積極的にＬＥＤで表示する技術が知られているが、かかる技術ではリンクアップ時の通信障害については視認することはできない。
【先行技術文献】
【特許文献】
【０００３】
【特許文献１】特開２００４−３２３０８号公報
【発明の概要】
【発明が解決しようとする課題】
【０００４】
そこで本発明は、上記の課題を解決することのできる中継機器及びその制御方法を提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の一態様に係る中継機器は、ネットワーク上の通信を中継する中継機器であって、複数のポートと、前記複数のポートの状態を監視する状態監視部と、前記ポート毎にそれぞれが設けられた複数の状態表示部と、前記状態監視部の監視結果に基づいて、前記ポートの状態がリンクアップであるポートの中から、予め設定された通信状態と異なる通信状態を示すポートを検出し、当該検出されたポートに対応する前記状態表示部の表示を制御する制御部とを備える。
【０００６】
この構成によれば、例えば許可すべきではない又は許可しないことが好ましい通信状態のポートに対応する状態表示部の表示が制御されるので、このようなポートを中継機器の設置場所において容易かつ迅速に発見することができる。
【０００７】
上記中継機器において、前記通信状態は、ポートの接続状態を含み、前記制御部は、予め設定された接続状態と異なる接続状態を示すポートを検出し、当該検出されたポートに対応する前記状態表示部の表示を制御してもよい。
【０００８】
上記中継機器において、前記通信状態は、通信レートを含み、前記制御部は、予め設定された通信レートよりも大きい通信レートを有するポートを検出し、当該検出されたポートに対応する前記状態表示部の表示を制御してもよい。
【０００９】
本発明の一態様に係る中継機器は、ネットワーク上の通信を中継する中継機器であって、複数のポートと、前記複数のポートの状態を監視する状態監視部と、前記ポート毎にそれぞれが設けられた複数の状態表示部と、前記状態監視部の監視結果に基づいて、前記ポートの状態がリンクダウンであるポートの中から、リンク不可であるポート、又は、他の中継機器におけるリンク不可であるポートに直接的若しくは間接的に接続されたポートを検出し、当該検出されたポートに対応する前記状態表示部の表示を制御する制御部とを備える。
【００１０】
この構成によれば、リンクダウンであるポートにおいて所定の要因に基づくものであるポートに対応する状態表示部の表示が制御されるので、このようなポートを中継機器の設置場所において容易かつ迅速に発見することができる。
【００１１】
上記中継機器において、前記中継機器は、ネットワーク機器と監視サーバとの通信を含み、前記制御部は、前記監視サーバの設定に基づいて、前記ポートのリンク不可を検出してもよい。
【００１２】
上記中継機器において、前記制御部は、通信がループしたことに基づいて、前記ポートのリンク不可を検出してもよい。
【００１３】
上記中継機器において、前記ポート毎にそれぞれが設けられ、かつ、前記ポートの状態がリンクアップ又はリンクダウンであることを少なくとも表示する、複数の第２状態表示部をさらに備えてもよい。
【００１４】
本発明の一態様に係る中継機器の制御方法は、ネットワーク上の通信を中継し、かつ、複数のポートと前記ポート毎にそれぞれが設けられた複数の状態表示部とを備える、中継機器の制御方法であって、前記複数のポートの状態を監視するステップと、前記監視するステップによる監視結果に基づいて、前記ポートの状態がリンクアップであるポートの中から、予め定められた通信状態と異なる通信状態を示すポートを検出するステップと、前記検出するステップにおいて検出されたポートに対応する前記状態表示部の表示を制御するステップとを含む。
【００１５】
この構成によれば、例えば許可すべきではない又は許可しないことが好ましい通信状態のポートに対応する状態表示部の表示が制御されるので、このようなポートを中継機器の設置場所において容易かつ迅速に発見することができる。
【００１６】
本発明の一態様に係る中継機器の制御方法は、ネットワーク上の通信を中継し、かつ、複数のポートと前記ポート毎にそれぞれが設けられた複数の状態表示部とを備える、中継機器の制御方法であって、前記複数のポートの状態を監視するステップと、前記監視するステップによる監視結果に基づいて、前記ポートの状態がリンクダウンであるポートの中から、リンク不可であるポート、又は、他の中継機器におけるリンク不可であるポートに直接的若しくは間接的に接続されたポートを検出するステップと、前記検出するステップにおいて検出されたポートに対応する前記状態表示部の表示を制御するステップとを含む。
【００１７】
この構成によれば、リンクダウンであるポートにおいて所定の要因に基づくものであるポートに対応する状態表示部の表示が制御されるので、このようなポートを中継機器の設置場所において容易かつ迅速に発見することができる。
【図面の簡単な説明】
【００１８】
【図１】本発明の実施形態に係る中継機器の内部構成の一例である。
【図２】本発明の実施形態に係る中継機器の外観構成の一例である。
【図３】本発明の実施形態に係る中継機器を含むネットワークシステムのブロック図の一例である。
【図４】本発明の実施形態に係る中継機器の制御方法を示すフローチャートである。
【発明を実施するための形態】
【００１９】
以下、図面を参照しつつ、発明の実施形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。
【００２０】
図１は本実施形態に係る中継機器の内部構成の一例であり、図２は図１に示す中継機器の外観構成の一例である。また図３は、本実施形態に係る中継機器を含むネットワークシステムのブロック図の一例である。
【００２１】
図１に示すように中継機器１００は、ネットワーク上の通信をするための複数のポート１０と、複数のポート１０が接続されたＳｗｉｔｃｈ／ＰＨＹ回路２０と、ポート毎にそれぞれが設けられた複数の第１ＬＥＤ１２と、ポート毎にそれぞれが設けられた複数の第２ＬＥＤ１４と、ポート１０の状態（例えばＳｗｉｔｃｈ／ＰＨＹ回路２０）を監視する状態監視部３０と、状態監視部３０の監視結果に基づいて第１ＬＥＤ１２の表示を制御するＬＥＤ制御部４０とを備える。
【００２２】
なお、図３に示すように中継機器は、ネットワーク機器（例えばコンピュータ端末、スイッチングハブ等）３００と、ネットワーク上の通信を監視する監視サーバ２００との通信を含む、ネットワーク上の通信を中継するものである。中継機器の一例としてはスイッチングハブやルータが挙げられる。
【００２３】
ＬＥＤ１２，１４はそれぞれ異なる情報に基づく表示を行うものである。図２に示すように、ＬＥＤ１２，１４はポート毎に対をなして設けられている。すなわち、複数のポート１０の中の１つのポート１０ａに対して、ＬＥＤ表示領域５０の中の１つのＬＥＤ表示領域５０ａが対応しており、このＬＥＤ表示領域５０ａが１つの第１ＬＥＤ１２ａ及び１つの第２ＬＥＤ１４ａから構成されている。ＬＥＤ１２ａ，１４ａは、互いに容易に区別できるように異なる態様で表示されることが好ましく、例えば異なる点灯色（例えば第１ＬＥＤ１２ａが赤点灯、第２ＬＥＤ１４ａが緑点灯）で表示されてもよいし、あるいは異なる点灯形態（例えば点滅の有無等）で表示されてもよい。複数のＬＥＤ１２，１４を含むＬＥＤ表示領域５０は、中継機器１００の外部から視認可能な位置に設けられる。
【００２４】
第２ＬＥＤ１４は、Ｓｗｉｔｃｈ／ＰＨＹ回路２０に接続され、例えばＳｗｉｔｃｈ／ＰＨＹ回路２０の一部であるＬＥＤ制御部（図示しない）によって表示が制御されてもよい。第２ＬＥＤ１４は、少なくともポート１０の状態がリンクアップ又はリンクダウンであることを表示する。例えば第２ＬＥＤ１４は、点灯している場合にリンクアップを示し、その一方で消灯している場合にリンクダウンを示してもよい。あるいは、第２ＬＥＤ１４は、上記リンク状態のほか、対応するポート１０の通信スピードや通信方向（双方向通信／一方向通信）及びパケットの送受信中であるか否かを点灯、消灯又は点滅等によって表示してもよい。
【００２５】
状態監視部３０はＳｗｉｔｃｈ／ＰＨＹ回路２０を監視し、これにより複数のポート１０のそれぞれの通信を監視したり、リンク状態を確認する。具体的には、状態監視部３０は、ポート１０のリンク状態を検出するリンク状態検出部３２と、ポート１０の接続を検出する接続検出部３４と、ポート１０に加わるトラフィックを検出するトラフィック検出部３６と、ポート１０がリンクダウンである場合のリンク不可の有無を検出するリンク不可検出部３８とを備えて構成されている。状態監視部３０の上記各機能ブロックは、Ｓｗｉｔｃｈ／ＰＨＹ回路２０から取得した各種データに基づいて、ポート毎に、リンク状態、ポートの接続、トラフィック及びリンク不可の有無を検出する。また、状態監視部３０は、上記各機能ブロックによって検出された監視結果を格納する記憶部３１を備えている。
【００２６】
ＬＥＤ制御部４０は、状態監視部３０の監視結果を記憶部３１から取得し、かかる監視結果に基づいて、保守されるべきポートに対応する第１ＬＥＤ１２の表示を制御する。以下、一例として、複数のポート１０のうち保守されるべきポート１０ａに対応する第１ＬＥＤ１２ａの表示を制御する場合を説明する。
【００２７】
まず、第１態様について説明する。かかる第１態様としては、ＬＥＤ制御部４０は、ポートの状態がリンクアップであるポートの中から、予め設定された通信状態と異なる通信状態（例えば予め許可されていない通信状態）を示すポート１０ａを検出し、当該検出されたポート１０ａに対応する第１ＬＥＤ１２ａの表示を制御する。この場合、例えばポート１０ａに対応する第１ＬＥＤ１２ａを点灯させ、他の第１ＬＥＤ１２を消灯させてもよい。かかる第１態様により、例えば本来許可すべきではない通信状態又は許可しないことが好ましい通信状態のポート１０ａを、中継機器の設置場所において容易かつ迅速に発見することができる。
【００２８】
ここで、通信状態は、ポートの接続状態を含むことができる。すなわち、ＬＥＤ制御部４０は、リンク状態検出部３２によってリンクアップが検出されたポートの中から、予め設定された接続状態と異なる接続状態を示すポート１０ａを検出し、当該検出されたポート１０ａに対応する第１ＬＥＤ１２ａの表示を制御してもよい。ポート１０の接続が予め設定された接続状態であるか否かについては、状態監視部３０の接続検出部３４によって検出することができる。また、ポートの接続に関する情報は、例えば監視サーバの設定に基づいていてもよい。
【００２９】
この構成によれば、例えば、不正アクセスやポート接続間違い（例えば他のＶＬＡＮＩＤへの接続等）が、いずれの中継機器のいずれのポートによるものであるかを、中継機器の設置場所において極めて容易かつ迅速に発見することができる。また、ポート接続間違いを即座にかつ目視で確認することができるので、ネットワーク構築後の問題発生箇所の発見だけでなく、ネットワーク構築中においても、適切なネットワークの構築を効率良く行うことができるという利点もある。
【００３０】
また、他の例として、通信状態は、通信レートを含むことができる。すなわち、ＬＥＤ制御部４０は、リンク状態検出部３２によってリンクアップが検出されたポートの中から、通信レートを有するポート１０ａを検出し、当該検出されたポート１０ａに対応する第１ＬＥＤ１２ａの表示を制御してもよい。ポートの通信レートが予め設定された通信レートよりも大きいかどうかについては、状態監視部３０のトラフィック検出部３６によって検出することができる。また、通信レートの所定のしきい値については、例えば監視サーバの設定に基づいていてもよい。
【００３１】
この構成によれば、例えば、ネットワーク構成上、正常な動作時において、加わるはずがない情報量が、いずれの中継機器のいずれのポートによるものであるかを、中継機器の設置場所において極めて容易かつ迅速に発見することができる。また、通信レートが所定のしきい値より大きいポートについては全て、対応する第１ＬＥＤが点灯することになるので、複数の中継機器にわたって第１ＬＥＤの点灯箇所を追っていくことにより、最終的に多大なデータの発信元（例えば末端のコンピュータ端末）、すなわち障害発生箇所を現場で発見することができる。
【００３２】
かかる第１態様においては、保守されるべきポート１０ａの状態はリンクアップであるので第２ＬＥＤ１４ａが点灯した状態で、かつ、第１ＬＥＤ１２ａが点灯した状態となる。すなわち、ＬＥＤ１２ａ，１４ａの表示の組み合わせにより、ポート１０ａが、リンクアップ時の保守されるべきものであることがわかる。
【００３３】
次に、第２態様について説明する。かかる第２態様としては、ＬＥＤ制御部４０は、ポートの状態がリンクダウンであるポートの中から、リンク不可であるポート１０ａを検出し、当該検出されたポート１０ａに対応する第１ＬＥＤ１２ａの表示を制御する。あるいは、ＬＥＤ制御部４０は、ポートの状態がリンクダウンであるポートの中から、他の中継機器におけるリンク不可であるポートに直接的又は間接的に接続されたポート１０ａを検出し、当該検出されたポート１０ａに対応する第１ＬＥＤ１２ａの表示を制御してもよい。これらの場合、例えばポート１０ａに対応する第１ＬＥＤ１２ａを点灯させ、他の第１ＬＥＤ１２を消灯させてもよい。かかる第２態様により、リンクダウンのポートのうち、リンク不可が要因でリンクダウンとなっているポート１０ａを、中継機器の設置場所において容易かつ迅速に発見することができる。
【００３４】
ここで、リンク不可とは、リンクアップ不可能である状態を指し、監視サーバの設定に基づくものであってもよいし、中継機器自体の所定機能が発動した結果に基づくもの、具体的にはポートの通信が自装置にループしたことに基づくものであってもよい。
【００３５】
かかる第２態様においては、保守されるべきポート１０ａの状態はリンクダウンであるので第２ＬＥＤ１４ａが消灯した状態で、かつ、第１ＬＥＤ１２ａが点灯した状態となる。すなわち、ＬＥＤ１２ａ，１４ａの表示の組み合わせにより、ポート１０ａが、リンクダウン時の保守されるべきものであることがわかる。
【００３６】
かかる第２態様について、図３を参照しつつさらに具体的に説明する。図３においては、監視サーバ２００に複数の中継機器１１０が接続され（例えば中継機器１１２のポート１１６が監視サーバ２００に接続され、他の中継機器が中継機器１１２を介して監視サーバ２００に接続されている）、それぞれの中継機器１１０にさらに下位の中継機器１２０が接続され、それぞれの中継機器１２０にさらにコンピュータ端末３００が接続されている。複数の中継機器１１０は設置場所６０に設置され、また複数の中継機器１２０は設置場所６２に設置されている。
【００３７】
ここで、下位の中継機器１２０のうち、中継機器１２２におけるポート１２４が、例えば監視サーバ２００によってリンク不可に設定された場合、当該ポート１２４に直接的に接続された、中継機器１１２のポート１１４はリンクダウンとなる。この場合、ポート１１４，１２４はいずれもリンクダウンであるため、ポート１１４，１２４に対応する第２ＬＥＤはいずれも消灯している。したがって、他の中継機器１１０，１２０においてリンクダウンであるポートが存在した場合には、当該ポートも同じように第２ＬＥＤが消灯するので、これのみではリンクダウンの要因が不明である。しかしながら、かかる第２態様においては、ポート１２４はそれ自体がリンク不可であるポートに該当するため当該ポート１２４に対応する第１ＬＥＤは点灯し、また、ポート１１４は他の中継機器におけるリンク不可であるポートに直接的に接続されたポートに該当するため当該ポート１１４に対応する第１ＬＥＤも点灯する。したがって、他の中継機器１１０，１２０における単なるリンクダウンであるポートとは異なり、ポート１１４，１２４に対応する第１ＬＥＤが点灯するので、これによりリンク不可が要因でリンクダウンとなっているポート１１４，１２４を、それぞれ設置場所６０，６２から容易かつ迅速に発見することができる。
【００３８】
なお、所定のポートがリンク不可となった場合に、当該ポートに直接的又は間接的に接続されたどの範囲のポートまでリンクダウンさせるかについては、例えば監視サーバ２００によって適宜設定することができる。
【００３９】
図１及び図２に戻り、中継機器１００のその他の構成について説明する。中継機器１００は、モード表示ＬＥＤ１６及びモード切替スイッチ１８をさらに備えてもよい。ここで、モード切替スイッチ１８は、例えば中継機器に電源が投入されたときにオンになるもので、上記第１態様による接続検出モード若しくは通信レート検出モード、又は、上記第２態様によるリンク不可検出モードのそれぞれを切替える。また、モード切替スイッチ１８は、上記各モードがいずれも有効ではないオフという状態に切替え可能であってもよい。かかるモード切替スイッチ１８のモード切替に基づいて、ＬＥＤ制御部４０は所定のモードによる制御を行う。このようなモード切替は、ＬＥＤ制御部４０自体が行ってもよいし、あるいは監視サーバが行ってもよい。また、モード表示ＬＥＤ１６は、モード切替スイッチ１８による設定されたモードを表示するもので、例えば設定された場合に点灯し、それ以外は消灯してもよい。
【００４０】
次に、本発明の実施形態に係る中継機器の制御方法について説明する。図４は本実施形態に係る中継機器の制御方法を示すフローチャートである。なお、かかる方法は、上記に構成を説明した中継機器によって行うことができる。なお、以下に説明する各ステップ（図面上符号が付されたステップ及び当該ステップの部分的なステップを含む）は処理内容に矛盾を生じない範囲で任意に順番を変更して又は並列に実行することができる。以下、一例として、中継機器１００の複数のポート１０のうち保守されるべきポート１０ａに対応する第１ＬＥＤ１２ａの表示を制御する場合を説明する。
【００４１】
まず、モード切替スイッチ１８、ＬＥＤ制御部４０又は監視サーバによって、第１ＬＥＤ１２に、いずれのモード（例えば、接続検出モード、通信レート検出モード又はリンク不可検出モード）による表示をさせるかを設定する（Ｓ１０２）。その後、状態監視部３０がＳｗｉｔｃｈ／ＰＨＹ回路２０を監視し、これにより複数のポート１０のそれぞれの状態を監視する（Ｓ１０４）。状態監視部３０は、ＬＥＤ制御部４０に必要なデータを供給可能となるように、かかる監視結果を記憶部３１に格納する。そして、ＬＥＤ制御部４０は、ステップＳ１０２によって予め設定されたモードに基づいて、保守されるべきポートを検出する。
【００４２】
まず、接続検出モードが設定された場合、ＬＥＤ制御部４０は、記憶部３１に格納された監視結果データに基づいて、中継機器１００の全てのポート１０についてリンクアップであるポートを検出する（Ｓ１０６）。この場合、全てのポート１０がリンクアップではない場合（Ｓ１０６  ＮＯ）、全ての第１ＬＥＤ１２を消灯させる（Ｓ１２０）。これに対して、少なくとも１つのポート１０がリンクアップである場合、リンクアップであるポート１０において、予め設定された接続状態と異なる接続状態を示すポートがあるか否かを判断する（Ｓ１０７）。その結果、予め設定された接続状態と異なる接続状態を示すポート１０ａが検出された場合（Ｓ１１４）、当該検出されたポート１０ａに対応する第１ＬＥＤ１２ａを点灯させる（Ｓ１１６）。あるいは、リンクアップであるポート１０の中から、予め設定された接続状態と異なる接続状態を示すポートが検出されない場合（Ｓ１０７  ＮＯ）、全ての第１ＬＥＤ１２を消灯させる（Ｓ１２０）。
【００４３】
また、通信レート検出モードが設定された場合、ＬＥＤ制御部４０は、記憶部３１に格納された監視結果データに基づいて、中継機器１００の全てのポート１０についてリンクアップであるポートを検出する（Ｓ１０６）。この場合、全てのポート１０がリンクアップではない場合（Ｓ１０６  ＮＯ）、全ての第１ＬＥＤ１２を消灯させる（Ｓ１２０）。これに対して、少なくとも１つのポート１０がリンクアップである場合、リンクアップであるポート１０において、予め設定された通信レートよりも大きい通信レートを有するポートがあるか否かを判断する（Ｓ１０８）。その結果、予め設定された通信レートよりも大きい通信レートを有するポート１０ａが検出された場合（Ｓ１１４）、当該検出されたポート１０ａに対応する第１ＬＥＤ１２ａを点灯させる（Ｓ１１６）。あるいは、リンクアップであるポート１０の中から、予め設定された通信レートよりも大きい通信レートを有するポートが検出されない場合（Ｓ１０８  ＮＯ）、全ての第１ＬＥＤ１２を消灯させる（Ｓ１２０）。
【００４４】
また、リンク不可検出モードが設定された場合、ＬＥＤ制御部４０は、記憶部３１に格納された監視結果データに基づいて、中継機器１００の全てのポート１０についてリンクダウンであるポートを検出する（Ｓ１１０）。この場合、全てのポート１０がリンクダウンではない場合（Ｓ１１０  ＮＯ）、全ての第１ＬＥＤ１２を消灯させる（Ｓ１２０）。これに対して、少なくとも１つのポート１０がリンクダウンである場合、リンクダウンであるポート１０において、リンク不可であるか、又は、他の中継機器におけるリンク不可であるポートに直接的若しくは間接的に接続されたポートであるか否かを判断する（Ｓ１１２）。その結果、このようなリンク不可等のポート１０ａが検出された場合（Ｓ１１４）、当該検出されたポート１０ａに対応する第１ＬＥＤ１２ａを点灯させる（Ｓ１１６）。あるいは、リンクダウンであるポート１０の中から、リンク不可等のポートが検出されない場合（Ｓ１１２  ＮＯ）、全ての第１ＬＥＤ１２を消灯させる（Ｓ１２０）。
【００４５】
ステップＳ１１６に戻り、保守されるべきポート１０ａに対応する第１ＬＥＤ１２ａが点灯することによって、中継機器の設置場所において、いずれの中継機器のいずれのポートが保守されるべきものが視認可能となる。その後、保守員は、監視サーバによる情報によらずに又は監視サーバによる情報に加えて、中継機器の設置場所において、ポート１０ａに対して必要な保守を施す。また、図４のフローチャートのＳＴＡＲＴからＥＮＤまでの一連のステップを一定期間毎に繰り返すことにより、リンク不可等の検出を常に実施することができる。
【００４６】
以上のとおり、本実施形態によれば、保守されるべきポートが、ポート毎にそれぞれが設けられた第１ＬＥＤによって現場で視認可能なように表示される。したがって、保守すべきポートを現場において容易かつ迅速に発見することができる。
【００４７】
上記発明の実施形態を通じて説明された実施例や応用例は、用途に応じて適宜に組み合わせて、又は変更若しくは改良を加えて用いることができ、本発明は上述した実施形態の記載に限定されるものではない。そのような組み合わせ又は変更若しくは改良を加えた形態も本発明の技術的範囲に含まれ得ることが、特許請求の範囲の記載から明らかである。
【符号の説明】
【００４８】
１０…ポート
１２…第１ＬＥＤ
１４…第２ＬＥＤ
１６…モード表示ＬＥＤ
１８…モード切替スイッチ
２０…Ｓｗｉｔｃｈ／ＰＨＹ回路
３０…状態監視部
４０…ＬＥＤ制御部
１００…中継機器
２００…監視サーバ
【図１】
2011082910.tif 000003
【図２】
2011082910.tif 000004
【図３】
2011082910.tif 000005
【図４】
2011082910.tif 000006